(57)【特許請求の範囲】
【請求項１】
物品を載置することが可能な作業台であって、
開口部を有すると共に前記物品を載置することが可能な袋体と、
前記袋体の内部に流体と共に収容された複数の粒状体と、を備え、
前記袋体の表面は、前記複数の前記粒状体が前記袋体の内部で流動することで、前記物品の表面形状に倣う形状に変形可能とされ、
前記開口部を通じて前記袋体の内部の前記流体が外部に排出されることで前記袋体の表面の形状が保持される構成であり、
前記袋体の上下方向に沿う軸回りの回動を規制する回動規制部を備える作業台。
【請求項２】
前記袋体の下部が上方から収容される収容凹部を有する袋体保持部材を備え、
前記回動規制部は、前記収容凹部の内周面に設けられている請求項１に記載の作業台。
【請求項３】
前記回動規制部は、前記収容凹部の前記内周面に設けられた角部である請求項２に記載の作業台。
【請求項４】
前記袋体の前記開口部における開口端部は、前記収容凹部に収容されており、
前記袋体の内部に配され、前記収容凹部の内周面との間で前記開口端部を全周に亘って挟持する挟持部材を備える請求項２又は請求項３に記載の作業台。
【請求項５】
物品を載置することが可能な作業台であって、
開口部を有すると共に前記物品を載置することが可能な袋体と、
前記袋体の内部に流体と共に収容された複数の粒状体と、を備え、
前記袋体の表面は、前記複数の前記粒状体が前記袋体の内部で流動することで、前記物品の表面形状に倣う形状に変形可能とされ、
前記開口部を通じて前記袋体の内部の前記流体が外部に排出されることで前記袋体の表面の形状が保持される構成であり、
前記開口部に接続され、前記袋体の内部の前記流体を外部に排出する排出装置を備え、
前記流体は空気であって、
前記排出装置は、前記袋体の内部の空気を吸引する真空ポンプである作業台。
【請求項６】
前記袋体は、前記物品の周端部に沿って複数個配列されている請求項１から請求項５のいずれか１項に記載の作業台。
【請求項７】
前記物品は、その周端部に比べて中央部が膨出された板状をなしており、
前記物品の前記周端部が載置される前記袋体と、
前記物品の前記中央部が載置される前記袋体と、を備え、
前記物品の前記中央部が載置される前記袋体は、前記物品の前記周端部が載置される前記袋体よりも低い位置に配されている請求項１から請求項６のいずれか１項に記載の作業台。
【請求項８】
前記袋体が弾性体である請求項１から請求項７のいずれか１項に記載の作業台。
【請求項９】
前記開口部を覆うフィルタを備え、
前記フィルタは、前記流体を通過させると共に、前記粒状体の通過を規制する構成である請求項１から請求項８のいずれか１項に記載の作業台。
【発明の詳細な説明】
【技術分野】
【０００１】
本発明は、作業台に関する。
【背景技術】
【０００２】
従来、物品に対して作業を行う際に、その物品を保持するための作業台が知られている（下記特許文献１参照）。特許文献１に記載の作業台（治具）は、物品の表面形状に倣う３次元形状の表面を有しており、その表面に物品をセットすることが可能となっている。
【先行技術文献】
【特許文献】
【０００３】
【特許文献１】特開昭６２−６０６３５号公報
【発明の概要】
【発明が解決しようとする課題】
【０００４】
上述した構成では、表面形状の異なる複数種類の物品に対して作業を行う場合には、物品の形状に対応した複数種類の作業台を用意する必要がある。このため、作業台の数が増加することで、作業台の製造に係るコストや作業台の設置スペースが増加してしまうという問題点があった。
【０００５】
本発明は上記のような事情に基づいて完成されたものであって、表面形状の異なる複数種類の物品を保持することができる作業台を提供することを目的とする。
【課題を解決するための手段】
【０００６】
上記課題を解決するために、本発明は、物品を載置することが可能な作業台であって、開口部を有すると共に前記物品を載置することが可能な袋体と、前記袋体の内部に流体と共に収容された複数の粒状体と、を備え、前記袋体の表面は、前記複数の粒状体が前記袋体の内部で流動することで、前記物品の表面形状に倣う形状に変形可能とされ、前記開口部を通じて前記袋体の内部の前記流体が外部に排出されることで前記袋体の表面の形状が保持される構成であることに特徴を有する。
【０００７】
上記構成によれば、袋体の内部に流体と粒状体とが収容されている状態では、複数の粒状体間に流体が配されるから、複数の粒状体が袋体の内部で流動可能な状態となっている。これにより袋体の表面を物品の形状に倣う形状に変形させることができる。そして、袋体の表面を物品の形状に倣う形状に変形させた後、袋体の内部の流体を外部に排出することで、粒状体は袋体の内部で流動し難い状態となる。これにより、袋体の表面の形状が保持される。このため、袋体の表面を物品の形状に倣う形状で保持することができ、物品を保持することができる。このように、上記構成では、袋体の表面を物品の形状に倣って適宜変形させつつ、その形状で保持させることができるため、様々な表面形状を有する物品を保持することができる。
【０００８】
また、前記袋体は、前記物品の周端部に沿って複数個配列されているものとすることができる。これにより、物品の周端部を複数の袋体で保持することができる。
【０００９】
また、前記物品は、その周端部に比べて中央部が膨出された板状をなしており、前記物品の前記周端部が載置される前記袋体と、前記物品の前記中央部が載置される前記袋体と、を備え、前記物品の前記中央部が載置される前記袋体は、前記物品の前記周端部が載置される前記袋体よりも低い位置に配されているものとすることができる。
【００１０】
このような構成とすれば、中央部が周端部に比べて膨出した板状をなす物品をより確実に保持することができる。
【００１１】
また、前記袋体が弾性体であるものとすることができる。このようにすれば、袋体の表面を物品の形状により追従させ易くなる。
【００１２】
また、前記袋体の上下方向に沿う軸回りの回動を規制する回動規制部を備えるものとすることができる。袋体の回動を規制することでより確実に物品を保持することができる。
【００１３】
また、前記袋体の下部が上方から収容される収容凹部を有する袋体保持部材を備え、前記回動規制部は、前記収容凹部の内周面に設けられているものとすることができる。袋体保持部材の収容凹部に袋体の下部を収容することで、袋体の回動を規制することができる。
【００１４】
また、前記回動規制部は、前記収容凹部の前記内周面に設けられた角部であるものとすることができる。内周面に角部を設けることで、袋体の回動を規制することができる。
【００１５】
また、前記袋体の前記開口部における開口端部は、前記収容凹部に収容されており、前記袋体の内部に配され、前記収容凹部の内周面との間で前記開口端部を全周に亘って挟持する挟持部材を備えるものとすることができる。収容凹部の内周面と挟持部材の間で袋体の開口端部を挟持することで、袋体を袋体保持部材に対して確実に固定することができる。
【００１６】
また、前記開口部に接続され、前記袋体の内部の前記流体を外部に排出する排出装置を備えるものとすることができる。袋体の内部の流体を排出することで、袋体の表面の形状を保持させることができる。
【００１７】
また、前記流体は空気であって、前記排出装置は、前記袋体の内部の空気を吸引する真空ポンプであるものとすることができる。袋体の内部の空気を吸引することで、袋体の表面の形状を保持させることができる。真空ポンプを用いることで、袋体の内部を真空状態にすることができ、袋体の表面の形状をより確実に保持することができる。
【００１８】
また、前記開口部を覆うフィルタを備え、前記フィルタは、前記流体を通過させると共に、前記粒状体の通過を規制する構成であるものとすることができる。これにより、袋体の内部から流体のみを排出することができる。
【発明の効果】
【００１９】
本発明によれば、表面形状の異なる複数種類の物品を保持することができる作業台を提供することができる。
【図面の簡単な説明】
【００２０】
【図１】一実施形態に係る作業台を示す正面図
【図２】ドアトリムを載置した状態の作業台を示す図
【図３】作業台を示す平面図
【図４】袋体ユニットを示す断面図
【図５】袋体保持部材を示す平面図
【発明を実施するための形態】
【００２１】
本発明の一実施形態を図１から図５によって説明する。本実施形態では、車両用のドアトリム１０（物品、図２参照）を載置することが可能な作業台２０を例示する。作業台２０（治具）は、図１に示すように、複数の袋体ユニット３０と、フレーム部材２１と、真空ポンプ２３（排出装置）と、を備えている。
【００２２】
袋体ユニット３０は、図４に示すように、袋体３１と、袋体３１の内部に収容された複数の粒状体３２と、袋体３１を保持する袋体保持部材４１と、を備えている。袋体３１は、例えば、合成ゴム（シリコン系ゴムやＥＰＤＭなど）からなる弾性体であり、その開口部３１Ａが下方を向く形で設けられた風船形状をなしている。袋体３１に収容される粒状体３２（充填材）としては、例えば、合成樹脂のペレット、ＢＢ弾、ガラスビーズ、発泡ビーズなどを用いることができる。また、粒状体３２として、コーヒー粉や片栗粉（粉状体）を用いてもよい。
【００２３】
複数の粒状体３２は、袋体３１の内部に充填されているものの、その充填量は、袋体３１内部の体積よりもわずかに少ないものとされる。つまり、袋体３１内部には、空気（流体）と共に粒状体３２が収容されている。このため、複数の粒状体３２は袋体３１内部で流動することが可能となっており、粒状体３２が流動することで、袋体３１の表面３１Ｄは、載置された物品（本実施形態ではドアトリム１０）の表面形状に倣う形状に変形可能な構成となっている。
【００２４】
袋体保持部材４１は、例えば合成樹脂製とされ、図４に示すように、上方に開口された収容凹部４２を有している。袋体３１の下部は、収容凹部４２に収容されており、袋体３１の上部は、袋体保持部材４１から上方に突出されている。収容凹部４２は、図５に示すように、平面視において多角形状（図５では八角形状）をなしている。つまり、収容凹部４２の内周面４２Ａには、八つの角部４２Ｄ（回動規制部）が設けられている。これにより、袋体３１は、上下方向（鉛直方向）に沿う軸回りの回動が内周面４２Ａによって規制されている。
【００２５】
図４に示すように、収容凹部４２の底部には、円形状の貫通孔４２Ｂが形成されている。貫通孔４２Ｂには、挟持部材５０が挿通されている。挟持部材５０は、貫通孔５１Ａを有する円柱状（円筒状）の挟持部材本体部５１と、挟持部材本体部５１の上端部の全周に亘って設けられ、上方に向かうにつれて挟持部材本体部５１から遠ざかる方向に傾斜する傾斜壁部５２と、を備えている。
【００２６】
挟持部材本体部５１は、貫通孔４２Ｂに挿通されており、その下面には、固定部材６０がボルト６１によって固定されている。固定部材６０は、貫通孔４２Ｂよりもわずかに径が大きい円板形状をなしており、その外周端部において、袋体保持部材４１の下面に係止する構成となっている。挟持部材５０は、袋体３１の内部に配されており、袋体３１の下端部は、挟持部材５０と袋体保持部材４１の間に介在されている。これにより、挟持部材５０の傾斜壁部５２と、袋体保持部材４１の内周面４２Ａによって、袋体３１の開口部３１Ａにおける開口端部３１Ｂが全周に亘って挟持されている。
【００２７】
固定部材６０には、取付孔６０Ａが貫通形成され、取付孔６０Ａには、例えばＬ字状をなす配管６２の一端部が取り付けられている。配管６２の流路６２Ａ（図４において一部を破線で示す）は、貫通孔５１Ａ（ひいては袋体３１の内部空間）と連通されている。また、挟持部材本体部５１の下面と固定部材６０の上面の間には、フィルタ７０が介在されている。このフィルタ７０は、貫通孔５１Ａと配管６２の流路６２Ａの間に介在されている。つまり、フィルタ７０は、開口部３１Ａを下方から覆う形で配されている。
【００２８】
フィルタ７０は、空気を通過させると共に、粒状体３２の通過を規制する構成となっている。具体的には、例えば、フィルタ７０の目の大きさが粒状体３２よりも小さい構成となっている。なお、フィルタ７０としては例えば不織布によって構成されているものを例示することができるが、これに限定されない。そして、配管６２の他端側（ひいては開口部３１Ａ）には、真空ポンプ２３が接続されている。これにより、真空ポンプ２３を作動させることで、配管６２及び開口部３１Ａを通じて袋体３１内部の空気（流体）を吸引することが可能となっている。これにより、真空ポンプ２３によって、袋体３１内部の空気が開口部３１Ａを通じて外部に排出されることで袋体３１内部が真空状態となり、袋体３１の表面の形状が保持（維持）される構成となっている。
【００２９】
図１に示すように、袋体ユニット３０はフレーム部材２１に対して複数個取り付けられている。複数の袋体ユニット３０は、図３に示すように、ドアトリム１０の周端部に沿って配列されている複数（図３では１４個）の袋体ユニット３０（符号３０Ａを付す）と、その内側に配される複数（図３では６個）の袋体ユニット３０（符号３０Ｂを付す）によって構成されている。なお、上述した真空ポンプ２３は、例えば、複数の袋体ユニット３０の各々に接続されており、真空ポンプ２３を作動させることで、複数の袋体３１の内部を一括して真空状態にすることが可能となっている。
【００３０】
ドアトリム１０は、図２に示すように、その中央部１０Ａが周端部１０Ｂに比べて意匠面側に膨出された板状をなしている。本実施形態では、袋体ユニット３０Ｂの袋体３１（中央部１０Ａが載置される袋体）が、袋体ユニット３０Ａの袋体３１（周端部１０Ｂが載置される袋体）よりも低い位置に配されている。これにより、ドアトリム１０の中央部１０Ａを袋体ユニット３０Ｂの袋体３１によって支持することができ、ドアトリム１０の周端部１０Ｂを袋体ユニット３０Ａの袋体３１によって支持することができる。
【００３１】
次に本実施形態の作用及び効果について説明する。本実施形態によれば、袋体３１内部に空気と粒状体３２とが収容されている状態では、複数の粒状体３２間に空気が配されているから、複数の粒状体３２が袋体３１内部で流動可能な状態となっている。これにより、複数の袋体３１の上にドアトリム１０を載置すると、図２に示すように、袋体３１の表面をドアトリム１０の形状に倣う形状に変形させることができる。そして、袋体３１の表面をドアトリム１０の形状に倣う形状に変形させた後、真空ポンプ２３を作動させることで、袋体３１内部の空気が外部に排出され、粒状体３２は袋体３１内部で流動し難い状態となる。これにより、袋体３１の表面の形状が保持される。このため、袋体３１の表面をドアトリム１０の形状に倣う形状で保持することができ、ドアトリム１０を保持することができる。その後、作業者は、保持されているドアトリム１０に対して、例えば構成部品の取り付け（例えば、ねじ止めや熱かしめなど）を行う。このように、本実施形態では、袋体３１の表面をドアトリム１０の形状に倣って適宜変形させつつ、その形状で保持させることができるため、様々な表面形状を有するドアトリムを保持することができる。
【００３２】
また、袋体３１は、ドアトリム１０の周端部１０Ｂに沿って複数個配列されている。これにより、ドアトリム１０の周端部１０Ｂを複数の袋体３１で保持することができる。
【００３３】
また、ドアトリム１０は、その周端部１０Ｂに比べて中央部１０Ａが膨出された板状をなしており、ドアトリム１０の周端部１０Ｂが載置される袋体３１と、ドアトリム１０の中央部１０Ａが載置される袋体３１と、を備え、ドアトリム１０の中央部１０Ａが載置される袋体３１は、ドアトリム１０の周端部１０Ｂが載置される袋体３１よりも低い位置に配されている。
【００３４】
このような構成とすれば、中央部１０Ａが周端部１０Ｂに比べて膨出した板状をなすドアトリム１０をより確実に保持することができる。
【００３５】
また、袋体３１が弾性体とされる。このようにすれば、袋体３１の表面をドアトリム１０の表面形状により追従させ易くなる。
【００３６】
また、袋体３１の上下方向に沿う軸回りの回動を規制する角部４２Ｄを備える。袋体３１の回動を規制することでより確実にドアトリム１０を保持することができる。
【００３７】
また、袋体３１の下部が上方から収容される収容凹部４２を有する袋体保持部材４１を備え、角部４２Ｄは、収容凹部４２の内周面４２Ａに設けられている。袋体保持部材４１の収容凹部４２に袋体３１の下部を収容することで、袋体３１の回動を規制することができる。
【００３８】
また、袋体３１の開口部３１Ａにおける開口端部３１Ｂは、収容凹部４２に収容されており、袋体３１の内部に配され、収容凹部４２の内周面４２Ａとの間で開口端部３１Ｂを全周に亘って挟持する挟持部材５０を備える。収容凹部４２の内周面４２Ａと挟持部材５０の間で袋体３１の開口端部３１Ｂを挟持することで、袋体３１を袋体保持部材４１に対して確実に固定することができる。
【００３９】
また、開口部３１Ａに接続され、袋体３１内部の空気を吸引する真空ポンプ２３を備える。袋体３１内部の空気を吸引することで、袋体３１の表面の形状を保持させることができる。真空ポンプ２３を用いることで、袋体３１内部を真空状態にすることができ、袋体３１の表面の形状をより確実に保持することができる。
【００４０】
また、開口部３１Ａを覆うフィルタ７０を備え、フィルタ７０は、空気を通過させると共に、粒状体３２の通過を規制する構成とされる。これにより、袋体３１内部から空気のみを排出することができる。
【００４１】
＜他の実施形態＞
本発明は上記記述及び図面によって説明した実施形態に限定されるものではなく、例えば次のような実施形態も本発明の技術的範囲に含まれる。
（１）上記実施形態では、作業台に載置する物品として、車両用のドアトリムを例示したが、これに限定されない。物品として、ドアトリム以外の車両用内装材（例えば、インストルメントパネルやルーフパネルなど）、及び車両用以外の内装材に適用することができる。また、物品は内装材に限定されず、形状は板状に限定されない。
（２）上記実施形態では、袋体３１内部の空気を排出するための排出装置として真空ポンプを用いる構成を例示したが、これに限定されない。例えば、排出装置としてブロアを例示することができる。しかしながら、真空ポンプを用いることで、袋体３１内部の空気をより確実に排出することができ、袋体３１の形状をより確実に保持することができる。
（３）上記実施形態では、袋体３１内部の流体として空気を例示したが、これに限定されない。例えば、袋体３１内部に流体として水が収容されており、袋体３１内部の水を排出する装置及び、袋体３１内部に水を供給する装置を備える構成としてもよい。
（４）上記実施形態では、複数の袋体を備える構成を例示したが、袋体の個数や配置態様は、適宜変更可能である。例えばドアトリムの全面と同じ程度の大きさの袋体を一つのみ備えていてもよい。しかしながら、複数の袋体を備える構成とすれば、各袋体がドアトリムの各部分の形状に倣って容易に変形するため、より安定してドアトリムを保持することができる。
（５）上記実施形態では、収容凹部４２を平面視にて多角形状（内周面４２Ａの一部を角部）にすることで、袋体３１の回動を規制する構成としたが、これに限定されない。例えば、袋体３１が平面視円形状をなす場合には、収容凹部４２を平面視にて楕円形状にすることで、袋体３１の回動を規制する構成としてもよい。また、内周面４２Ａに突起などを設けることで、袋体３１の回動を規制する構成としてもよい。
【符号の説明】
【００４２】
１０…ドアトリム（物品）、１０Ａ…ドアトリムの中央部（物品の中央部）、１０Ｂ…ドアトリムの周端部（物品の周端部）、２０…作業台、２３…真空ポンプ（排出装置）、３１…袋体、３１Ａ…開口部、３１Ｂ…袋体の開口部における開口端部、３２…粒状体、４１…袋体保持部材、４２…収容凹部、４２Ａ…収容凹部の内周面、４２Ｄ…角部（回動規制部）、５０…挟持部材、７０…フィルタ
【図１】
0006617926.tif 000002
【図２】
0006617926.tif 000003
【図３】
0006617926.tif 000004
【図４】
0006617926.tif 000005
【図５】
0006617926.tif 000006